(57)【特許請求の範囲】
【請求項１】
間接活線工具を用いて操作できると共に、電線を覆う絶縁シートを挟持可能な間接活線工事用クリップであって、
電線を覆う絶縁シートを内部に収容できると共に、先端部を開閉可能に、開閉軸が基端部を互いに連結する一対の湾曲腕と、
これらの湾曲腕の先端部が閉じる力を付勢する付勢手段と、
一対の前記湾曲腕の基端部が延長されて、開角する一対の操作片と、を備え、
一対の前記湾曲腕の内の一方の湾曲腕は、その先端部に向かって分岐する複数の分岐腕を有し、
一対の前記湾曲腕の内の他方の湾曲腕は、その先端部が隣接する前記分岐腕の間に位置し、前記分岐腕に対して交差可能に進退する一つ以上の交差腕を有し、
一対の前記の操作片は、前記間接活線工具の先端部に取り付けた把持工具の先端部に設けた開閉する一対の把持片を受入可能な凹部が外面に形成され、
一対の前記湾曲腕は、前記先端部における内壁側に複数の溝が形成された段差部を有し、前記先端部が最大に開かれたときの離間距離が内部に収容可能な電線の最大径よりも僅かに大きく、かつ最大径の電線を挟持したときに交差するような緩やかな曲率で湾曲していることを特徴とする間接活線工事用クリップ。
【請求項２】
一対の前記湾曲腕は、前記電線を覆う絶縁シートに当接する滑り止め部材を内壁に貼着している請求項１記載の間接活線工事用クリップ。
【請求項３】
一対の前記湾曲腕及び前記開閉軸は、絶縁性を有する合成樹脂からなり、
前記開閉軸は、一対の前記湾曲腕のいずれか一方に一体成形されている請求項１又は２に記載の間接活線工事用クリップ。
【請求項４】
前記付勢手段は、一部が断絶されたリング状の鋼線ばねからなり、
前記鋼線ばねは、前記開閉軸の周囲を囲うように配置されると共に、端部が一対の前記湾曲腕の外壁に当接している請求項１から３のいずれかに記載の間接活線工事用クリップ。
【発明の詳細な説明】
【技術分野】
【０００１】
本発明は、間接活線工事用クリップに関する。特に、絶縁操作棒などを用いて、無停電状態の高圧配電線を間接的に活線工事できる間接活線工事用クリップの構造に関する。
【背景技術】
【０００２】
間接活線工事用クリップは、絶縁操作棒などの間接活線工具に連結されて操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
このような間接活線工事用クリップとしては、高圧配電線を挟持可能な一対の開閉部材の挟持面に緩やかに湾曲した大小の凹部を設け、比較的ラフな操作であっても、適用サイズの高圧配電線を大小の凹部のいずれかに把持できる間接活線工事用クリップが開示されている（例えば、特許文献１参照）。
【先行技術文献】
【特許文献】
【０００４】
【特許文献１】特開２００１−２７２０９号公報
【発明の概要】
【発明が解決しようとする課題】
【０００５】
図８は、特許文献１による間接活線工事用クリップの構成を示す正面図である。本願の図８は、特許文献１の図１に相当している。図８を参照すると、特許文献１による間接活線工事用クリップ（以下、クリップと略称する）８は、一対の帯板状の開閉部材８１・８２で構成している。一対の開閉部材８１・８２は、図示しない電線を挟持可能な挟持部８１ａ・８２ａと、図示しない絶縁操作棒によって把持される把持部８１ｂ・８２ｂに区分している。
【０００６】
図８を参照すると、クリップ８は、一対の挟持部８１ａ・８２ａの先端部を開閉可能に一対の開閉部材８１・８２を連結する連結部８ｃを有している。更に、クリップ８は、挟持部８１ａ・８２ａの先端部が閉じる方向に力を付勢する捩じりコイルばね８３を備えている。捩じりコイルばね８３の付勢力に抗して、一対の把持部８１ｂ・８２ｂを互いに近づけると、挟持部８１ａ・８２ａの先端部を開くことができる。一対の把持部８１ｂ・８２ｂを解放すると、捩じりコイルばね８３に付勢されて、挟持部８１ａ・８２ａの先端部を閉じることができる。
【０００７】
図８を参照すると、一対の挟持部８１ａ・８２ａを閉じた状態では、クリップ８は、綾目状の滑り止め加工を表面に施した一対の把持部８１ｂ・８２ｂの外面が略平行に形成されているので、あらゆる方向から間接活線工具でクリップ８を把持できる、としている。又、クリップ８は、図示しない電線を挟持可能な一対の開閉部材８１・８２の挟持面に緩やかに湾曲した大小の凹部８１１・８１２を設け、比較的ラフな操作であっても、適用サイズの高圧配電線を大小の凹部８１１・８１２のいずれかに把持できる、としている。
【０００８】
しかし、従来技術によるクリップ８は、一対の挟持部８１ａ・８２ａで挟持する電線の適用サイズが限定されると共に、一対の挟持部８１ａ・８２ａが伸長する方向と電線が伸長する方向が略直交する以外の交差角度で、電線を挟持した場合には、電線が滑り易いという問題がある。外径の異なる電線又はこれらの電線を覆う絶縁シートを確実に挟持できる間接活線工事用クリップが求められている。そして、以上のことが本発明の課題といってよい。
【０００９】
本発明は、このような問題に鑑みてなされたものであり、外径の異なる電線又はこれらの電線を覆う絶縁シートを確実に挟持できる間接活線工事用クリップを提供することを目的とする。
【課題を解決するための手段】
【００１０】
本発明者らは、一対の湾曲腕の先端部が交差する構成とし、一対の湾曲腕を開くと、電線又は電線を覆う絶縁シートを内部に収容でき、一対の湾曲腕を閉じると、一対の湾曲腕で囲われた内部空間が閉じることにより、外径の異なる電線又はこれらの電線を覆う絶縁シートを確実に挟持できることを見出し、これに基づいて、以下のような新たな間接活線工事用クリップを発明するに至った。
【００１１】
（１）本発明による間接活線工事用クリップは、間接活線工具を用いて操作できると共に、電線を覆う絶縁シートを挟持可能な間接活線工事用クリップであって、電線を覆う絶縁シートを内部に収容できると共に、先端部を開閉可能に、開閉軸が基端部を互いに連結する一対の湾曲腕と、これらの湾曲腕の先端部が閉じる力を付勢する付勢手段と、一対の前記湾曲腕の基端部が延長されて、開角する一対の操作片と、を備え、一対の前記湾曲腕の内の一方の湾曲腕は、その先端部に向かって分岐する複数の分岐腕を有し、一対の前記湾曲腕の内の他方の湾曲腕は、その先端部が隣接する前記分岐腕の間に位置し、前記分岐腕に対して交差可能に進退する一つ以上の交差腕を有し、一対の前記の操作片は、前記間接活線工具の先端部に取り付けた把持工具の先端部に設けた開閉する一対の把持片を受入可能な凹部が外面に形成され、一対の前記湾曲腕は、前記先端部における内壁側に複数の溝が形成された段差部を有し、前記先端部が最大に開かれたときの離間距離が内部に収容可能な電線の最大径よりも僅かに大きく、かつ最大径の電線を挟持したときに交差するような緩やかな曲率で湾曲している。
【００１２】
（２）一対の前記湾曲腕は、前記電線又は前記電線を覆う絶縁シートに当接する滑り止め部材を内壁に貼着していることが好ましい。
【００１４】
（３）一対の前記湾曲腕及び前記開閉軸は、絶縁性を有する合成樹脂からなり、前記開閉軸は、一対の前記湾曲腕のいずれか一方に一体成形されていてもよい。
【００１５】
（４）前記付勢手段は、一部が断絶されたリング状の鋼線ばねからなり、前記鋼線ばねは、前記開閉軸の周囲を囲うように配置されると共に、端部が一対の前記湾曲腕の外壁に当接していることが好ましい。
【発明の効果】
【００１６】
本発明による間接活線工事用クリップは、一対の湾曲腕の先端部が交差する構成とし、一対の湾曲腕を閉じると、一対の湾曲腕で囲われた内部空間が閉じることにより、外径の異なる電線又はこれらの電線を覆う絶縁シートを確実に挟持できる。
【図面の簡単な説明】
【００１７】
【図１】本発明の一実施形態による間接活線工事用クリップの構成を示す正面図である。
【図２】前記実施形態による間接活線工事用クリップの構成を示す左側面図であり、電線を挟持した状態図である。
【図３】前記実施形態による間接活線工事用クリップの構成を示す左側面図であり、一対の湾曲腕の先端部が開いた状態図である。
【図４】前記実施形態による間接活線工事用クリップの構成を示す背面図である。
【図５】前記実施形態による間接活線工事用クリップの構成を示す右側面図であり、一対の湾曲腕の先端部が交差した状態図である。
【図６】前記実施形態による間接活線工事用クリップの構成を示す左側面図であり、折り畳まれた絶縁シートを挟持した状態図である。
【図７】前記実施形態による間接活線工事用クリップ及び間接活線工具の斜視図であり、間接活線工事用クリップを間接活線工具に取り付けた状態図である。
【図８】従来技術による間接活線工事用クリップの構成を示す正面図である。
【発明を実施するための形態】
【００１８】
以下、図面を参照して本発明を実施するための形態を説明する。
［間接活線工事用クリップの構成］
最初に、本発明の一実施形態による間接活線工事用クリップの構成を説明する。
【００１９】
図１は、本発明の一実施形態による間接活線工事用クリップの構成を示す正面図である。図２は、前記実施形態による間接活線工事用クリップの構成を示す左側面図であり、電線を挟持した状態図である。図３は、前記実施形態による間接活線工事用クリップの構成を示す左側面図であり、一対の湾曲腕の先端部が開いた状態図である。
【００２０】
図４は、前記実施形態による間接活線工事用クリップの構成を示す背面図である。図５は、前記実施形態による間接活線工事用クリップの構成を示す右側面図であり、一対の湾曲腕の先端部が交差した状態図である。図６は、前記実施形態による間接活線工事用クリップの構成を示す左側面図であり、折り畳まれた絶縁シートを挟持した状態図である。
【００２１】
図１を参照して、本発明の一実施形態による間接活線工事用クリップ（以下、クリップと略称する）１０は、電線Ｗ又は電線Ｗを覆う絶縁シートＳ（図６参照）を挟持できる。又、クリップ１０は、後述する間接活線工具となる絶縁操作棒９（図７参照）を用いて、操作できる。
【００２２】
図１から図６を参照すると、クリップ１０は、一対の湾曲腕１・２を備えている。一対の湾曲腕１・２は、それらの先端部を開閉可能に、開閉軸１ａが基端部を互いに連結している。一対の湾曲腕１・２を開くと、電線Ｗ又は絶縁シートＳを一対の湾曲腕１・２の内部に収容できる。又、クリップ１０は、付勢手段となる一対のリング状の鋼線ばね（以下、リングばねという）３・３を備えている。一対のリングばね３・３は、一対の湾曲腕１・２の先端部が閉じる力を付勢している。
【００２３】
図１から図６を参照すると、一方の湾曲腕１は、その先端部に向かって分岐する一対の分岐腕１１・１１を有している。他方の湾曲腕２は、その先端部が隣接する一対の分岐腕１１・１１の間に位置して進退する単一の交差腕２１を有している。
【００２４】
又、図１から図６を参照すると、クリップ１０は、一対の湾曲腕１・２の基端部が延長されて、開角する一対の操作片１２・２２を備えている。一対のリングばね３・３の付勢力に抗して、操作片１２と操作片２２を相対的に近づけると、一対の湾曲腕１・２の先端部を開くことができる（図３参照）。一方、一対の操作片１２・２２を解放すると、一対のリングばね３・３に付勢されて、一対の湾曲腕１・２の先端部を交差することができる（図２又は図５及び図６参照）。
【００２５】
図１から図６を参照すると、一対の操作片１２・２２は、それらの外面に凹部１２ａ及び凹部２２ａを形成している。凹部１２ａ及び凹部２２ａの底面には、滑り止め部材となるゴム板を貼着しておくことが好ましい。なお、一対の操作片１２・２２に設けた凹部１２ａ及び凹部２２ａの作用は、後述する。
【００２６】
図１から図６において、一対の湾曲腕１・２及び開閉軸１ａは、絶縁性を有する合成樹脂で成形している。開閉軸１ａは、一方の湾曲腕１と一体で成形されている。クリップ１０の主構成となる一対の湾曲腕１・２は、絶縁性を有しているので、例えば、電線Ｗとの短絡を防止できる（図１又は図２参照）。
【００２７】
図２又は図５及び図６を参照すると、一対の湾曲腕１・２は、それらの内壁が緩やかな曲率で円弧を形成しており、挟持される電線Ｗ又は電線Ｗを覆う絶縁シートＳの直径を比較的限定しない。又、図１から図６を参照すると、一対の湾曲腕１・２は、それらの内壁に滑り止め部材となるゴム板１１ｒ・２１ｒを貼着しているので、電線Ｗ又は電線Ｗを覆う絶縁シートＳとの滑りを防止できる。
【００２８】
図１から図６を参照すると、リングばね３は、一部が断絶されたリング状の鋼線ばねからなっている。リングばね３は、開閉軸１ａの周囲を囲うように配置されている。そして、リングばね３の端部は、一対の湾曲腕１・２の外壁に当接している。実施形態では、リングばね３は、開閉軸１ａの軸方向に一対に並設配置している。
【００２９】
［間接活線工事用クリップの作用］
次に、実施形態によるクリップ１０の構成を補足すると共に、クリップ１０の操作方法を説明しながら、クリップ１０の作用及び効果を説明する。図７は、前記実施形態による間接活線工事用クリップ及び間接活線工具の斜視図であり、間接活線工事用クリップを間接活線工具に取り付けた状態図である。
【００３０】
図７を参照すると、間接活線工具となる絶縁操作棒９（いわゆる、絶縁ヤットコ）は、電線Ｗを配電工事する工具を取り付け可能な工具部９１、工具部９１の工具を遠隔操作する操作部９２、及び工具部９１と操作部９２とを連結する長尺の管体からなる柄部９３を備えている。
【００３１】
図７を参照すると、絶縁操作棒９の先端部の工具部９１には、把持工具９０を取り付けている。把持工具９０は、開閉する一対の把持片９ａ・９ｂを備えている。一方の把持片９ａは、基端部が固定された固定片であり、他方の把持片９ｂは、その基端部が一方の把持片９ａに回動可能に連結する可動片となっている。
【００３２】
図７を参照すると、絶縁操作棒９は、柄部９３と略平行に作動棒９ｃを保持している。そして、作動棒９ｃの先端部は、他方の把持片９ｂに回動可能に連結し、作動棒９ｃの基端部は、操作レバー９ｄに連結している。
【００３３】
図７を参照すると、操作レバー９ｄを操作部９２に近づけると、一対の把持片９ａ・９ｂを閉じることができる。操作レバー９ｄを操作部９２から離間すると、一対の把持片９ａ・９ｂを開くことができる。このように、把持工具９０は、操作レバー９ｄを操作して、高所の電線などの挟持された被挟持物を把持できる。
【００３４】
図７を参照すると、一対の把持片９ａ・９ｂの先端部は、クリップ１０の一対の操作片１２・２２に設けた凹部１２ａ及び凹部２２ａに連結している。図示されたクリップ１０は、操作レバー９ｄを操作して、一対の湾曲腕１・２を開閉できる（図２又は図３参照）。
【００３５】
図７を参照して、クリップ１０を絶縁操作棒９に取り付ける場合は、一方の把持片９ａに対して、他方の把持片９ｂを閉じて、一対の操作片１２・２２を外側から挟むことができる（図２参照）。
【００３６】
図７に示された状態から、一方の把持片９ａに対して、他方の把持片９ｂを更に閉じると、一対の湾曲腕１・２の先端部を開くことができる（図３参照）。そして、一対の湾曲腕１・２の先端部が開いた状態を維持しながら、電線Ｗに向かってクリップ１０を移動し、操作部９２に設けた操作レバー９ｄを操作し、一対の湾曲腕１・２を閉じることで、電線Ｗ又は電線Ｗを覆う絶縁シートＳを挟持できる。
【００３７】
図１から図６を参照して、実施形態によるクリップ１０は、一対の湾曲腕１・２の先端部が交差する構成とし、一対の湾曲腕１・２を閉じると、一対の湾曲腕１・２で囲われた内部空間が閉じることにより、外径の異なる電線Ｗ又はこれらの電線Ｗを覆う絶縁シートＳを確実に挟持できる。
【００３８】
図２を参照して、実施形態によるクリップ１０は、外径の異なる電線Ｗ又はこれらの電線Ｗを覆う絶縁シートＳを確実に挟持できる。しかし、図２を参照して、一対の湾曲腕１・２の先端部を確実に閉じるために、一対の湾曲腕１・２の先端部を開いたときの離間距離Ｌが制約されている（図３参照）。言い換えれば、一対の操作片１２・２２の閉じる角度が制約されている。図３を参照して、前述の離間距離Ｌは、想定する電線Ｗの最大径φｄよりも僅かに大きいことが好ましい。これにより、図２に示すように、電線Ｗを一対の湾曲腕１・２の内部に収容できると共に、電線Ｗを一対の湾曲腕１・２の内部に収容した状態で、一対の湾曲腕１・２の先端部を閉じることができる。
【００３９】
図１から図６を参照して、実施形態によるクリップ１０は、電線Ｗ又は絶縁シートとの滑りを防止するゴム板１１ｒ・２１ｒを一対の湾曲腕１・２の内壁に貼着しているので、電線Ｗ又は絶縁シートを確実に挟持できる。
【００４０】
図２又は図３及び図５を参照すると、一対の湾曲腕１・２は、それらの内壁が緩やかな曲率で円弧を形成しているので、外径の異なる電線Ｗ又はこれらの電線Ｗを覆う絶縁シートＳを確実に挟持できる。
【００４１】
図３又は図５を参照すると、クリップ１０の主構成となる一対の湾曲腕１・２は、絶縁性を有する合成樹脂で成形しているので、例えば、電線との短絡を防止できるという効果がある。
【００４２】
本発明による間接活線工事用クリップは、次のような効果が奏される。
（１）電線又は電線を覆う絶縁シートを確実に挟持できる。
（２）クリップが落下する心配がない。
（３）操作が容易である。
【００４３】
本発明は、複数の分岐腕を一対の分岐腕で構成し、一対の分岐腕と交差する交差腕を単一の交差腕で構成したが、これに限定されない。一対の湾曲腕は、一対の分岐腕と一対の交差腕で構成し、一対の交差腕と一対の交差腕が互いに交差すように構成してもよく、一対の湾曲腕は、三股の分岐腕と二股の交差腕が相互に交差する構成としてもよい。
【符号の説明】
【００４４】
１・２  一対の湾曲腕
１ａ  開閉軸
３  リングばね（付勢手段）
９  絶縁操作棒（間接活線工具）
１０  クリップ（間接活線工事用クリップ）
１１・１１  一対の分岐腕
２１  交差腕
Ｓ  絶縁シート
Ｗ  電線
【図１】
0005497130.tif 000002
【図２】
0005497130.tif 000003
【図３】
0005497130.tif 000004
【図４】
0005497130.tif 000005
【図５】
0005497130.tif 000006
【図６】
0005497130.tif 000007
【図７】
0005497130.tif 000008
【図８】
0005497130.tif 000009